(57)【要約】 【課題】表示品位の劣化を回避する表示装置および表示装置の駆動方法を提供する。【解決手段】垂直同期期間のフレーム期間において映像信号を書き込む走査を行う表示パネルＰＮＬと、１垂直同期期間において、１フレーム分の映像を順次記録するとともに直前フレーム分の映像を順次出力する第１メモリＭ１と、第１メモリＭ１から出力された映像を順次記録するとともに、１フレーム分の映像を垂直ブランキング期間保持した後に出力する第２メモリＭ２と、第１メモリＭ１と第２メモリＭ２との映像とが一致するか否か及び表示パネルＰＮＬの走査を行うか否か判断する判定回路１２と、１垂直同期期間の垂直ブランキング期間の後にフレーム期間を設けて、判定回路１２での判断結果に基づいて表示パネルＰＮＬの駆動信号を生成するタイミングコントローラ１４と、駆動信号に従って、表示パネルＰＮＬを駆動する表示パネル駆動回路２４と、を備える。【選択図】図１
2014222272.tif 000002
【特許請求の範囲】
【請求項１】
垂直同期期間のフレーム期間において映像信号を書き込む走査を行う表示パネルと、
１垂直同期期間において、１フレーム分の映像信号を順次記録するとともに直前のフレーム分の映像信号を順次出力する第１メモリと、
１垂直同期期間において、前記第１メモリから出力された映像信号を順次記録するとともに、１フレーム分の映像信号を垂直ブランキング期間保持した後に出力する第２メモリと、
前記第１メモリの映像信号と前記第２メモリの映像信号とが一致するか否かの判断に基づいて、前記表示パネルの間欠駆動を行うか通常駆動を行うかを判断する判定回路と、
１垂直同期期間の前記垂直ブランキング期間の後にフレーム期間を設けて、前記判定回路での判断結果に基づいて前記表示パネルの駆動信号を生成するタイミングコントローラと、
前記タイミングコントローラから出力された駆動信号に従って、前記表示パネルを駆動する表示パネル駆動回路と、を備えた表示装置。
【請求項２】
前記表示パネルのアクティブエリアと対向して配置されたセンサ基板と、
前記センサ基板を走査するとともに、前記センサ基板からの出力信号を受信するセンサ駆動・検出回路と、を更に備え、
前記タイミングコントローラは、前記垂直ブランキング期間において前記センサ基板を走査する駆動信号を生成し、前記センサ駆動・検出回路へ出力する請求項１記載の表示装置。
【請求項３】
前記第２メモリは、１フレーム分の映像信号と前記垂直ブランキング期間に前記第１メモリから出力される所定ライン分の映像信号とを記録可能である請求項１又は請求項２記載の表示装置。
【請求項４】
前記表示パネルは、互いに対向して配置された一対の基板と、前記一対の基板間に保持された液晶層と、を備え、
前記タイミングコントローラは、前記表示パネルが通常駆動から間欠駆動へ切り替わる際に、直前の間欠駆動の最終フレームにおいて前記液晶層に印加された映像信号の極性と逆極性の映像信号を前記液晶層に印加する請求項１乃至請求項３のいずれか１項記載の表示装置。
【請求項５】
連続するフレームの映像信号が一致するか否かを判断し、
連続するフレームの映像信号が一致するか否かの判断結果に基づいて、表示パネルの走査を行うか否か判断し、
１垂直同期期間において垂直ブランキング期間の後にフレーム期間を設けて、走査を行うか否かの判断結果に基づいて表示パネルの駆動信号を生成し、
前記駆動信号に従って前記フレーム期間に前記表示パネルを駆動する、表示装置の駆動方法。
【請求項６】
前記表示パネルのアクティブエリアと対向して配置されたセンサ基板の走査する駆動信号を生成し、
前記垂直ブランキング期間において前記センサ基板を走査する、請求項４記載の表示装置の駆動方法。
【請求項７】
前記表示パネルが通常駆動から間欠駆動へ切り替わる際に、直前の間欠駆動の最終フレームにおいて前記液晶層に印加された映像信号の極性を判断し、
最初に印加する映像信号の極性を直前の間欠駆動の最終フレームにおける映像信号と逆極性とする請求項５又は請求項６記載の表示装置の駆動方法。
【発明の詳細な説明】
【技術分野】
【０００１】
本発明の実施形態は、表示装置および表示装置の駆動方法に関する。
【背景技術】
【０００２】
近年、モバイル用途の表示装置では電池の持続時間を長くするために低消費電力への要望が強い。電池が小さくなれば、小型化および軽量化にもつながるからである。
【０００３】
表示装置の低消費電力を実現するため１つの方法として間欠駆動があげられる。間欠駆動では、表示装置に表示される映像が動画か静止画かを判断し、静止画であると判断した際に走査回数を減らす。表示装置は、走査する際に駆動回路および制御回路において電力を消費するため走査回数を減らした分だけ消費電力を低く抑えることができる。
【０００４】
間欠駆動から通常駆動へ復帰する際には、速やかに駆動を切り替えて、ユーザに違和感を与えないことが望ましい。
【先行技術文献】
【特許文献】
【０００５】
【特許文献１】特開２０１２−１８２７１号公報
【発明の概要】
【発明が解決しようとする課題】
【０００６】
本発明の実施形態は、表示品位の劣化を回避する表示装置および表示装置の駆動方法を提供することを目的とする。
【課題を解決するための手段】
【０００７】
実施形態によれば、垂直同期期間のフレーム期間において映像信号を書き込む走査を行う表示パネルと、１垂直同期期間において、１フレーム分の映像を順次記録するとともに直前のフレーム分の映像を順次出力する第１メモリと、１垂直同期期間において、前記第１メモリから出力された映像を順次記録するとともに、１フレーム分の映像を垂直ブランキング期間保持した後に出力する第２メモリと、前記第１メモリの映像と前記第２メモリの映像とが一致するか否かの判断に基づいて、前記表示パネルの走査を行うか否か判断する判定回路と、１垂直同期期間の前記垂直ブランキング期間の後にフレーム期間を設けて、前記判定回路での判断結果に基づいて前記表示パネルの駆動信号を生成するタイミングコントローラと、前記タイミングコントローラから出力された駆動信号に従って、前記表示パネルを駆動する表示パネル駆動回路と、を備えた表示装置が提供される。
【図面の簡単な説明】
【０００８】
【図１】図１は、実施形態の表示装置の一構成例を概略的に示すブロック図である。
【図２】図２は、実施形態の表示装置の駆動方法の一例を説明するための図である。
【図３】図３は、実施形態の表示装置の駆動方法の一例を説明するフローチャートである。
【図４】図４は、比較例の表示装置の駆動方法の一例を説明するための図である。
【図５】図５は、実施形態の表示装置の駆動方法の他の例について説明するためのフローチャートである。
【図６】図６は、実施形態の表示装置および液晶表示装置の駆動方法における映像信号の極性反転駆動の方法の例について説明するためのフローチャートである。
【発明を実施するための形態】
【０００９】
以下、実施形態の表示装置および表示装置の駆動方法について、図面を参照して説明する。
【００１０】
図１は、実施形態の表示装置の一構成例を概略的に示すブロック図である。  
本実施形態の表示装置は、液晶表示パネルＰＮＬと、バックライトＢＬと、センサ基板ＳＢと、第１制御部１０、および、第２制御部２０と、を備えている。
【００１１】
液晶表示パネルＰＮＬは、アレイ基板ＡＲと、対向基板ＣＴと、アレイ基板ＡＲと対向基板ＣＴとの間に保持された液晶層ＬＱと、を備えている。
【００１２】
アレイ基板ＡＲは、ガラス等で形成された第１透明絶縁基板（図示せず）と、第１透明絶縁基板の上層においてマトリクス状に配置された画素電極ＰＥと、画素電極ＰＥが配列した行に沿って延びたゲート配線ＧＬと、画素電極ＰＥが配列した列に沿って延びたソース配線ＳＬと、ゲート配線ＧＬとソース配線ＳＬとが交差した位置近傍に配置されたスイッチング素子ＳＷと、ゲートドライバＧＤと、ソースドライバＳＤと、を備えている。
【００１３】
画素電極ＰＥは、アクティブエリアＡＣＴにおいて画素ＰＸ毎に配置されている。画素電極ＰＥは、例えばＩＴＯ（indium tin oxide）やＩＺＯ（indium zinc oxide）等の透明電極材料により形成されている。
【００１４】
ゲート配線ＧＬ（ＧＬ１、ＧＬ２、ＧＬ３、…）は列方向（第２方向Ｙ）に並んで配置され、一端がアクティブエリアＡＣＴの外に配置されたゲートドライバＧＤと電気的に接続している。
【００１５】
ソース配線ＳＬ（ＳＬ１、ＳＬ２、ＳＬ３、…）は行方向（第１方向Ｘ）に並んで配置され、一端がアクティブエリアＡＣＴの外に配置されたソースドライバＳＤと電気的に接続している。
【００１６】
スイッチング素子ＳＷは、例えば薄膜トランジスタ（ＴＦＴ：thin film transistor）を含む。スイッチング素子ＳＷのゲート電極は対応するゲート配線ＧＬと電気的に接続している（あるいは一体に形成されている）。スイッチング素子ＳＷのソース電極は対応するソース配線ＳＬと電気的に接続している（あるいは一体に形成されている）。スイッチング素子ＳＷのドレイン電極は対応する画素電極ＰＥと電気的に接続している（あるいは一体に形成されている）。
【００１７】
垂直同期信号および水平同期信号に従って、ゲートドライバＧＤが、ゲート配線ＧＬ（ＧＬ１、ＧＬ２、ＧＬ３、…）を順次駆動すると、駆動されたゲート配線ＧＬと接続したスイッチング素子ＳＷのソース電極とドレイン電極との間が導通し、ソースドライバＳＤからソース配線ＳＬに印加された映像信号がスイッチング素子ＳＷを介して画素電極ＰＥへ印加される。
【００１８】
液晶表示パネルＰＮＬのアレイ基板ＡＲの背面側には、バックライトＢＬが配置されている。バックライトＢＬとしては、種々の形態が適用可能であり、また、光源として発光ダイオード（ＬＥＤ）を利用したものや冷陰極管（ＣＣＦＬ）を利用したものなどのいずれでも適用可能であり、詳細な構造については説明を省略する。
【００１９】
センサ基板ＳＢは、例えば静電容量型センサであって、誘電体を挟んで互いに対向配置された一対の電極（図示せず）を備え、この一対の電極により容量素子（図示せず）を構成している。後述するセンサ駆動・検出回路２６の交流信号源から容量素子の一端に所定の周波数（例えば数ｋＨｚ〜十数ｋＨｚ程度）の交流矩形波を印加すると、容量素子の他端に、容量に応じた出力波形が現れる。
【００２０】
例えばユーザが指をセンサ基板ＳＢに接触していない状態では、容量素子に対する充放電に伴って、容量素子の容量値に応じた電流が流れる。このときの容量素子の他端の電位波形がセンサ駆動・検出回路２６によって検出される。
【００２１】
一方、ユーザが指でセンサ基板ＳＢに接触した状態では、指によって形成される第２容量素子（図示せず）がセンサ基板ＳＢの容量素子に直列に追加された形となる。この状態では、これらの容量素子と第２容量素子とに対する充放電に伴って、それぞれ電流が流れる。このときの容量素子の他端の電位波形がセンサ駆動・検出回路２６によって検出される、ユーザが指で接触していない状態よりも電位が小さくなる。
【００２２】
なお、センサ基板ＳＢは、対向した一対の電極の少なくとも一方を備えていればよく、他方の電極が液晶表示パネルＰＮＬに含まれていてもよい。例えば、液晶表示パネルＰＮＬの共通電極ＣＥをセンサ用の電極として兼用しても構わない。
【００２３】
第１制御部１０は、第１メモリＭ１と、第２メモリＭ２と、判定回路１２と、タイミングコントローラ１４と、を備えている。
【００２４】
第１メモリＭ１は少なくとも１フレームの映像信号を記録可能である。第２メモリＭ２は、少なくとも１フレーム以上２フレーム以下の映像信号を記録可能である。第１メモリＭ１と第２メモリＭ２とは、読み出しおよび書込みが可能である。
【００２５】
第１メモリＭ１は、外部信号源ＳＳから受信した映像信号を順次記録するとともに、記録された映像信号を順次第２メモリＭ２と判定回路１２とへ出力する。第２メモリＭ２は、第１メモリＭ１から受信した映像信号を順次記録するとともに、記録された映像信号を順次タイミングコントローラ１４と判定回路１２とへ出力する。
【００２６】
判定回路１２は、第１メモリＭ１から読みだした映像信号と、第２メモリＭ２から読みだした映像信号とを比較して、連続するフレームの映像が一致するか否かを判定し、判定結果に応じた信号をタイミングコントローラ１４へ出力する。
【００２７】
タイミングコントローラ１４は、外部信号源ＳＳからクロック信号等の制御信号を受信し、判定回路１２から受信した信号に基づいて液晶表示装置の駆動波形を生成して第２制御部２０へ制御信号や映像信号を出力する。
【００２８】
第２制御部２０は、電源回路２２と、ＬＣＤ駆動回路２４と、センサ駆動・検出回路２６と、バックライト制御回路２８と、を備えている。
【００２９】
電源回路２２は、例えば外部信号源ＳＳからの起動信号に応じて、ＬＣＤ駆動回路２４、センサ駆動・検出回路２６、および、バックライト制御回路２８へ電源を供給する。
【００３０】
ＬＣＤ駆動回路２４は、タイミングコントローラ１４から受信した制御信号および映像信号に基づいて、液晶表示パネルＰＮＬへクロック信号、垂直同期信号、水平同期信号および映像信号等を出力する。
【００３１】
センサ駆動・検出回路２６は、タイミングコントローラ１４から受信した制御信号および外部信号源ＳＳから受信した制御信号に基づいて、センサ基板ＳＢへ駆動信号を出力するとともに、センサ基板ＳＢから検出信号を受信する。センサ駆動・検出回路２６は、センサ基板ＳＢから受信した検出信号を用いて必要に応じて座標を算出する等の演算をした後、演算結果を外部信号源ＳＳへ出力する。
【００３２】
バックライト制御回路２８は、タイミングコントローラ１４から受信した制御信号に基づいて、バックライトＢＬへ駆動信号を出力する。
【００３３】
なお、第１制御部１０は液晶表示装置の外部に設けられてもよく、液晶表示装置に含まれていてもよい。
【００３４】
図２は、実施形態の表示装置の駆動方法の一例を説明するための図である。  
図３は、実施形態の表示装置の駆動方法の一例を説明するフローチャートである。
【００３５】
外部信号源ＳＳは、例えば、映像信号Ａ、映像信号Ｂ、映像信号Ｂ、映像信号Ｂ、映像信号Ｂ、…、映像信号Ｃ、映像信号Ｄ、映像信号Ｅの順に、順次各フレームの映像を第１メモリＭ１へ書き込む（ステップＳＴ１）。なお、この例では、第１メモリＭ１は１フレームの映像信号を記録可能なフレームメモリである。
【００３６】
第１メモリＭ１に１フレームの映像信号を記録した後、順次第２メモリＭ２へ同様の映像信号を書き込む。例えば第１メモリＭ１に映像信号Ａが書き込まれると、第１メモリＭ１から第２メモリＭ２へ映像信号Ａが書き込まれるとともに、第１メモリＭ１には次フレームの映像信号Ｂが書き込まれる（ステップＳＴ２）。したがって、第２メモリＭ２への映像信号Ａの書き込みが完了すると略同時に、第１メモリＭ１への映像信号Ｂの書き込みが完了する。
【００３７】
第２メモリＭ２は、１フレーム分の映像信号を記録可能な領域と、垂直ブランキング期間で書込み可能な所定ライン分の映像信号を記録する領域とを少なくとも備えている。例えば第１メモリＭ１から映像信号Ａが書き込まれた後、順次映像信号Ｂが書き込まれる。このとき、第２メモリＭ２に映像信号Ｂの所定ライン分の書き込みが終了するまでは、映像信号Ａは第２メモリＭ２に保持される。
【００３８】
判定回路１２は、例えば第１メモリＭ１から第２メモリＭ２へ映像信号Ａの書き込みが終了し、第１メモリＭ１へ映像信号Ｂの書き込みが終了したタイミングで、第１メモリＭ１に格納された映像信号Ｂと第２メモリＭ２に格納された映像信号Ａとが一致するか否かを判断する（ステップＳＴ３）。すなわち、判定回路１２は、連続するフレームの映像が一致するか否かを判断する。
【００３９】
判定回路１２は、第１メモリＭ１の映像信号と第２メモリＭ２の映像信号とが一致しない（連続するフレームの映像が一致しない）と判断した場合、タイミングコントローラ１４に一致しない（通常駆動を行う）こと（ｊ＝１）を通知する。タイミングコントローラ１４は、判定回路１２からの通知に応じて、液晶表示パネルＰＮＬを走査するように駆動波形を生成してＬＣＤ駆動回路２４へ出力する（ステップＳＴ４）。
【００４０】
判定回路１２は、第１メモリＭ１の映像信号と第２メモリＭ２の映像信号とが一致する（連続するフレームの映像が一致する）と判断した場合、更に、前フレームは走査を行った（ｊ＝１）か否かを判断する（ステップＳＴ５）。
【００４１】
判定回路１２は、前フレームは走査を行った（ｊ＝１）と判断した場合、前フレームは第１メモリＭ１と第２メモリＭ２との映像信号が一致しているか否かの判断後の走査である（ｋ＝１）か否かを更に判断する（ステップＳＴ６）。
【００４２】
判定回路１２は、前フレームは映像信号が一致しているか否かの判断後の走査である（ｋ＝１）と判断した場合、ｋ＝０として、タイミングコントローラ１４に一致した（間欠駆動を行う）こと（ｊ＝０）を通知する。タイミングコントローラ１４は、判定回路１２からの通知に応じて、液晶表示パネルＰＮＬの間欠駆動をするように駆動波形を生成してＬＣＤ駆動回路２４へ出力する（ステップＳＴ７）。このとき、タイミングコントローラ１４は、液晶表示パネルＰＮＬの走査を停止している間、電源回路２２からＬＣＤ駆動回路２４への電源供給を止めるように制御してもよい。この場合、タイミングコントローラ１４は、液晶表示パネルＰＮＬの通常駆動を再開する際にＬＣＤ駆動回路２４へ電源を供給して起動する。
【００４３】
判定回路１２は、前フレームは映像信号が一致しているか否かの判断後の走査ではない（ｋ＝０）と判断した場合、ｋ＝１として、タイミングコントローラ１４に通常駆動を行うこと（ｊ＝１）を通知する。タイミングコントローラ１４は、判定回路１２からの通知に応じて、液晶表示パネルＰＮＬを通常駆動するように駆動波形を生成してＬＣＤ駆動回路２４へ出力する（ステップＳＴ４）。
【００４４】
判定回路１２は、ステップＳＴ５において前フレームは走査（通常駆動）していない（ｊ＝０）と判断した場合、タイミングコントローラ１４に間欠駆動を行うこと（ｊ＝０）を通知する。タイミングコントローラ１４は、判定回路１２からの通知に応じて、液晶表示パネルＰＮＬの間欠駆動を行うように駆動波形を生成してＬＣＤ駆動回路２４へ出力する（ステップＳＴ７）。
【００４５】
すなわち、判定回路１２は、第１メモリＭ１と第２メモリＭ２との映像信号が一致したと判断した場合、これが間欠駆動に入る直前の走査であることの判定（ｊ）とすでに間欠駆動中の走査であることの判定（ｋ）を行うことで、映像信号Ｂを１度走査した後に液晶表示パネルＰＮＬの間欠駆動を行うこととしている。
【００４６】
ここで、本実施形態では、タイミングコントローラ１４は、垂直同期期間において液晶表示パネルＰＮＬの走査期間（フレーム期間）の前に垂直ブランキング期間を設けるように駆動信号を生成し、垂直ブランキング期間においてセンサ基板ＳＢを走査している。なお、垂直同期期間は、第１メモリＭ１および第２メモリＭ２へ１フレームの映像信号を書き込む期間と同期している。垂直ブランキング期間は、１垂直同期期間のうちの少なくともフレーム期間の前において十分な長さで設けられれば良く、フレーム期間の後にも垂直ブランキング期間が設けられても構わない。このように垂直ブランキング期間を設けると、液晶表示パネルＰＮＬの走査を停止していた状態から走査を開始する際に、復帰動作に要する時間を十分確保することが可能となる。
【００４７】
すなわち、例えば図２に示す例では、第１メモリＭ１へ映像信号Ｃの書き込みが完了したタイミングＴ１から判定回路１２が、第１メモリＭ１と第２メモリＭ２との映像信号を比較して、異なる映像信号であることから通常駆動を行うと判断する。また、タイミングＴ１から第１メモリＭ１から第２メモリＭ２への映像信号Ｃの書き込みが開始される。次の垂直同期期間では、まずセンサ基板ＳＢの走査が行われた後に、タイミングＴ２から液晶表示パネルＰＮＬの走査が行われる。したがって、液晶表示パネルＰＮＬの間欠駆動をしていた状態から通常駆動へ切り替えるために、１垂直同期期間と次の垂直同期期間の垂直ブランキング期間とを用いることができ、十分な期間を確保することができる。
【００４８】
なお、上記のように垂直ブランキング期間を垂直同期期間の最初に設けると、センサ基板ＳＢを走査している期間も前の垂直同期期間に書き込まれた第２メモリＭ２の映像信号を保持しなければならないため、第２メモリＭ２は１フレームの映像信号分の領域と、垂直ブランキング期間に第１メモリＭ１から第２メモリＭ２へ書き込む所定ラインの映像信号分の領域とを含んでいる。
【００４９】
図４は、比較例の液晶表示装置の駆動方法の一例を説明するための図である。  
この例では、垂直同期期間の最初に液晶表示パネルＰＮＬの走査を行い、その後に垂直ブランキング期間を設けている。
【００５０】
この例では、第１メモリＭ１へ映像信号Ｃの書き込みが完了したタイミングＴ３から判定回路１２が、第１メモリＭ１と第２メモリＭ２との映像信号を比較して、異なる映像信号であることから通常駆動を行うと判断する。また、タイミングＴ３から第１メモリＭ１から第２メモリＭ２への映像信号Ｃの書き込みが開始される。次の垂直同期期間が開始するタイミングＴ４で液晶表示パネルＰＮＬの走査が行われ、その後にセンサ基板ＳＢの走査が行われる。したがって、液晶表示パネルＰＮＬの間欠駆動していた状態から通常駆動へ切り替えるために、１垂直同期期間を用いることとなる。
【００５１】
上記比較例の液晶表示装置において、タイミングＴ４から走査を開始することができなかった場合には、例えば、映像信号Ｃを表示せずに、映像信号Ｄを表示するための走査から開始することとなり、表示された映像が不自然な印象をユーザへ与える可能性がある。
【００５２】
また、このような動作をさせるためには次のような判定が追加で必要となる。図５は、例えば、映像信号Ｃを表示せずに、映像信号Ｄを表示するための走査から開始するための駆動方法について説明するためのフローチャートである。この例では、図３に示すステップＳＴ３で第１メモリＭ１と第２メモリＭ２との映像信号が一致しないと判断した後の動作が異なっている。
【００５３】
ステップＳＴ３で、第１メモリＭ１と第２メモリＭ２との映像信号が一致しないと判断した場合、判定回路１２は、前フレームは走査（通常駆動）した（ｊ＝１）か否かを判断する（ステップＳＴ８）。
【００５４】
ステップＳＴ８で、前フレームは走査（通常駆動）した（ｊ＝１）と判断した場合、判定回路１２は、タイミングコントローラ１４に通常駆動を行うこと（ｊ＝１）を通知する。タイミングコントローラ１４は、判定回路１２からの通知に応じて、液晶表示パネルＰＮＬを通常駆動するように駆動波形を生成してＬＣＤ駆動回路２４へ出力する（ステップＳＴ４）。
【００５５】
ステップＳＴ８で、前フレームは走査しなかった、すなわち間欠駆動を行った（ｊ＝０）と判断した場合、判定回路１２は、前フレームで判断の遅延があった（i=１）か否かを更に判断する（ステップＳＴ９）。
【００５６】
ステップＳＴ９で、前フレームで判断の遅延があった（i＝１）と判断した場合、判定回路１２は、フラグi＝０として、タイミングコントローラ１４に通常駆動を行うこと（ｊ＝１）を通知する。タイミングコントローラ１４は、判定回路１２からの通知に応じて、液晶表示パネルＰＮＬを通常駆動するように駆動波形を生成してＬＣＤ駆動回路２４へ出力する（ステップＳＴ４）。
【００５７】
ステップＳＴ９で、前フレームで判断の遅延があった（i＝０）と判断した場合、判定回路１２は、走査開始タイミングの後であるか否か（或いは判断に遅延があったか否か）を更に判断する（ステップＳＴ１０）。
【００５８】
ステップＳＴ１０で、走査開始タイミングの前である（或いは判断に遅延がない）と判断した場合、判定回路１２は、フラグi＝０として、タイミングコントローラ１４に通常駆動を行うこと（ｊ＝１）を通知する。タイミングコントローラ１４は、判定回路１２からの通知に応じて、液晶表示パネルＰＮＬを通常駆動をするように駆動波形を生成してＬＣＤ駆動回路２４へ出力する（ステップＳＴ４）。
【００５９】
ステップＳＴ１０で、走査開始タイミングの後である（或いは判断に遅延があった）と判断した場合、判定回路１２は、フラグi＝１として、タイミングコントローラ１４に間欠駆動を行うこと（ｊ＝０）を通知する。タイミングコントローラ１４は、判定回路１２からの通知に応じて、液晶表示パネルＰＮＬの間欠駆動を行うように駆動波形を生成してＬＣＤ駆動回路２４へ出力する（ステップＳＴ７）。
【００６０】
上記のように第１メモリＭ１と第２メモリＭ２との映像信号が一致しない場合に、前フレームの走査について、走査を行うか否かの判断の遅延があったか否かを判断することにより、判断の遅延があったフレームの次のフレームでの走査を行うことが可能となる。
【００６１】
これに対し、本実施形態では、比較例の場合よりも垂直ブランキング期間分だけ長い期間を、液晶表示パネルＰＮＬを間欠駆動から通常駆動へ切り替えるために用いることが可能となり、静止画から動画に切り替わる際にユーザへ違和感を与えることを回避することができる。判定回路の処理能力によっては、図５に示す判定回路の追加が必要となる場合も否定できないが、垂直ブランキング期間分だけ長い期間があればこれを削除することがより可能となる。
【００６２】
すなわち、本実施形態によれば、表示品位の劣化を回避する液晶表示装置および液晶表示装置の駆動方法を提供することができる。
【００６３】
図６は、実施形態の表示装置および表示装置の駆動方法における映像信号の極性反転駆動の方法の例について説明するためのフローチャートである。
【００６４】
液晶表示パネルＰＮＬで、液晶層ＬＱに印加される電圧は１フレーム毎に極性反転される。間欠駆動を行う際には比較的長時間同じ極性の電圧が印加されるが、間欠駆動から通常駆動となるタイミングにより、液晶層ＬＱに印加される電圧の極性が偏ることがあった。
【００６５】
そこで、本実施形態では、間欠駆動を開始する際の映像信号の極性と、前回の間欠駆動が終了したときの極性とが反転するようにしている。すなわち、間欠駆動から通常駆動となる際に、間欠駆動における最後の映像信号の極性が正であった場合には、次に通常駆動から間欠駆動へ切り替わるときに、映像信号の極性を負とする。逆に、間欠駆動から通常駆動となる際に、間欠駆動における最後の映像信号の極性が負であった場合には、次に通常駆動から間欠駆動へ切り替わるときに、映像信号の極性を正とする。
【００６６】
具体的には、タイミングコントローラ１４は、判定回路１２での判定結果を受信すると、液晶表示パネルＰＮＬを通常駆動するか否かを判断する（ステップＳＴＢ１）。
【００６７】
通常駆動をすると判断した場合、タイミングコントローラ１４は直前のフレームにおける映像信号の極性は正である（ｍ＝１）か否かを判断する（ステップＳＴＢ２）。ここで、直前のフレームにおける映像信号の極性が正であった場合には今回のフレームの映像信号は負極性とし、直前のフレームの極性が負であった場合には今回のフレームの映像信号は正極性とする。
【００６８】
なお、映像信号の極性は、例えば、所定の画素ＰＸにおいて液晶層ＬＱに印加される電圧の極性により判断する。例えば、１番目の行で１列目の画素ＰＸの映像信号の極性が正であった場合には正極性であると判断し、１行目の１列目の画素ＰＸの映像信号の極性が負であった場合には負極性であると判断する。極性反転パタンはライン反転であってもカラム反転であってもドット反転であっても構わない。いずれのパタンであっても、各画素ＰＸに印加される電圧の極性はフレーム毎に反転する。
【００６９】
ステップＳＴＢ１において、走査をしないと判断した場合、タイミングコントローラ１４は、直前のフレームは通常駆動か否かを更に判断する（ステップＳＴＢ３）。
【００７０】
直前のフレームが通常駆動でないと判断した場合、すなわち、直前のフレームが間欠駆動である場合、タイミングコントローラ１４は、直前のフレームにおける映像信号の極性は正である（ｍ＝１）か否かを更に判断する（ステップＳＴＢ４）。ここで、直前のフレームにおける映像信号の極性が正であった場合には、フラグｎ＝０として今回のフレームの映像信号は負極性とし、直前のフレームの極性が負であった場合には、フラグｎ＝１として今回のフレームの映像信号は正極性とする。フラグｎの値は、例えばタイミングコントローラ１４内のメモリに記録される。
【００７１】
ステップＳＴＢ３において、直前のフレームが通常駆動であると判断した場合、タイミングコントローラ１４は、直前の間欠駆動における最終フレームの映像信号の極性が正（ｎ＝１）か否かを更に判断する（ステップＳＴＢ５）。ここで、タイミングコントローラ１４は、直前の間欠駆動における最終フレームの映像信号の極性が正である場合、今回のフレームにおける映像信号の極性を負とし、直前の間欠駆動のおける最終フレームの映像信号の極性が負である場合、今回のフレームにおける映像信号の極性を正とする。
【００７２】
上記のように、間欠駆動を開始する際の映像信号の極性と、直前の間欠駆動が終了したときの極性とが反転するように設定すると、液晶層ＬＱに印加される電圧の極性が偏ることがなく、焼き付き等による表示品位の劣化を回避することができる。
【００７３】
上記のように、本実施形態によれば、表示品位の劣化を回避する表示装置および表示装置の駆動方法を提供することができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７５】
なお、上記の説明では、表示パネルとして液晶表示パネルを備えた構成について説明したが、有機エレクトロルミネッセンス表示パネルなど他の表示パネルを備えた構成であっても良い。
【００７６】
また、液晶表示パネルは、画素電極ＰＥ及び共通電極ＣＥの双方がアレイ基板ＡＲに備えられた構成、すなわち、ＩＰＳ（In-Plane Switching）モードやＦＦＳ（Fringe Field Switching）モードなどの主として横電界（フリンジ電界も含む）を利用する構成であってもよい。少なくとも画素電極ＰＥはアレイ基板ＡＲに備えられ、共通電極ＣＥはアレイ基板ＡＲ及び対向基板ＣＴのいずれに備えられていても良い。ＴＮ（Twisted Nematic）モード、ＯＣＢ（Optically Compensated Bend）モード、ＶＡ（Vertical Aligned）モードなどの主として縦電界を利用する構成の場合、共通電極ＣＥは対向基板ＣＴに備えられる。つまり、共通電極ＣＥが配置される位置は、アレイ基板ＡＲを構成する絶縁基板と対向基板ＣＴを構成する絶縁基板との間であれば良い。
【符号の説明】
【００７７】
ＰＮＬ…液晶表示パネル、ＢＬ…バックライト、ＳＢ…センサ基板、ＡＲ…アレイ基板、ＣＴ…対向基板、ＬＱ…液晶層、ＰＥ…画素電極、ＧＬ…ゲート配線、ＳＬ…ソース配線、ＳＷ…スイッチング素子、ＧＤ…ゲートドライバ、ＳＤ…ソースドライバ、ＡＣＴ…アクティブエリア、ＰＸ…画素、Ｍ１…第１メモリ、Ｍ２…第２メモリ、ＳＳ…外部信号源、１０…第１制御部、１２…判定回路、１４…タイミングコントローラ、２０…第２制御部、２２…電源回路、２４…ＬＣＤ駆動回路、２６…センサ駆動・検出回路、２８…バックライト制御回路。
【図１】
2014222272.tif 000003
【図２】
2014222272.tif 000004
【図３】
2014222272.tif 000005
【図４】
2014222272.tif 000006
【図５】
2014222272.tif 000007
【図６】
2014222272.tif 000008